(57)【要約】【課題】ポンプ流路が満水でなくても排水を行うことができる排水用横軸ポンプ設備を提供すること。【解決手段】吸込水槽１０にポンプ流路２０を接続し、ポンプ流路２０内に横軸ポンプＰを設置することで吸込水槽１０内の水をポンプ流路２０に吸い込んで所定の場所に排水する排水用横軸ポンプ設備である。横軸ポンプＰの上流側のポンプ流路２０上部に、ポンプ流路２０が満水でない場合にその下端辺が水面よりも下方に入り込むように下降する流入弁３０を設置する。これによって流入弁３０の下流側に空気が入らなくなるので、ポンプ流路２０が満水でなくても送水を行うことができる。【選択図】図１
2006090129.tif 000002
【特許請求の範囲】
【請求項１】
吸込水槽にポンプ流路を接続し、前記ポンプ流路内に横軸ポンプを設置することで吸込水槽内の水をポンプ流路に吸い込んで所定の場所に排水する排水用横軸ポンプ設備において、
前記横軸ポンプの上流側のポンプ流路上部に、ポンプ流路が満水でない場合にその下端辺が水面よりも下方に入り込むように下降する流入弁を設置したことを特徴とする排水用横軸ポンプ設備。
【請求項２】
吸込水槽にポンプ流路を接続し、前記ポンプ流路内に横軸ポンプを設置することで吸込水槽内の水をポンプ流路に吸い込んで所定の場所に排水する排水用横軸ポンプ設備において、
前記横軸ポンプの上流側のポンプ流路上部に、ポンプ流路が満水でない場合にその下端辺が水面よりも下方に入り込む凸部を設けたことを特徴とする排水用横軸ポンプ設備。
【請求項３】
吸込水槽にポンプ流路を接続し、前記ポンプ流路内に横軸ポンプを設置することで吸込水槽内の水をポンプ流路に吸い込んで所定の場所に排水する排水用横軸ポンプ設備において、
前記横軸ポンプの上流側のポンプ流路上部に開口してキャビテーション防止用の気体を導入する連通管を設置したことを特徴とする排水用横軸ポンプ設備。
【請求項４】
前記連通管の他端は吸込水槽内に開口しており、且つこの開口はポンプにおいてキャビテーションの発生が始まる吸込水槽の水面位置、或いはポンプ流路内を流れる流体によって連通管内に空気が吸い込まれる最も高い位置の内の何れか低いほうの位置に設けられていることを特徴とする請求項３記載の排水用横軸ポンプ設備。
【発明の詳細な説明】
【技術分野】
【０００１】
本発明は排水用横軸ポンプ設備に関するものである。
【背景技術】
【０００２】
従来、排水用横軸ポンプ設備の中には図６に示すように、吸込水槽１０の側壁にポンプ流路２０を接続するとともに、ポンプ流路２０内に横軸ポンプＰを設置し、ポンプＰを回転駆動することで吸込水槽１０内の水をポンプ流路２０に吸い込んで所定の場所に排水するように構成されているものがあった。
【０００３】
しかしながら上記従来の排水用横軸ポンプ設備には以下のような問題点があった。
（１）図７に示すようにポンプ流路２０内が満水となる水位でない場合は、横軸ポンプＰを起動してもポンプ流路２０内から空気が抜けず、排水機能が生じない。
【０００４】
（２）図８に示すようにポンプ流路２０内が満水の場合でも吸込水深Ｈｓが排水によって低下して所定水深Ｈｓ＜ＮＰＳＨReq（ＮＰＳＨReqはキャビテーションが生じない最小吸込水位）になると、横軸ポンプＰの羽根車Ｐ１の上部ａにおいてキャビテーションが発生し、キャビテーションエロージョン（真空のキャビティーが発生拡大した後に瞬間的に猛スピードで潰れることによって生じる局部的な衝撃波により壊食が発生する現象）が生じてしまう。また横軸ポンプＰの振動、音も大きくなってしまう。
【発明の開示】
【発明が解決しようとする課題】
【０００５】
本発明は上述の点に鑑みてなされたものでありその目的は、たとえポンプ流路が満水となる水位でなくても、排水を行うことができる排水用横軸ポンプ設備を提供することにある。
【０００６】
また本発明の他の目的は、水深が低下してもキャビテーションが発生しにくい排水用横軸ポンプ設備を提供することにある。
【課題を解決するための手段】
【０００７】
上記問題点を解決するため本発明は、吸込水槽にポンプ流路を接続し、前記ポンプ流路内に横軸ポンプを設置することで吸込水槽内の水をポンプ流路に吸い込んで所定の場所に排水する排水用横軸ポンプ設備において、前記横軸ポンプの上流側のポンプ流路上部に、ポンプ流路が満水でない場合にその下端辺が水面よりも下方に入り込むように下降する流入弁を設置したことを特徴とする。これによって流入弁の下流側に空気が入らなくなるので、たとえポンプ流路が満水でなくても送水を行うことが可能になる。
【０００８】
また本発明は、吸込水槽にポンプ流路を接続し、前記ポンプ流路内に横軸ポンプを設置することで吸込水槽内の水をポンプ流路に吸い込んで所定の場所に排水する排水用横軸ポンプ設備において、前記横軸ポンプの上流側のポンプ流路上部に、ポンプ流路が満水でない場合にその下端辺が水面よりも下方に入り込む凸部を設けたことを特徴とする。これによっても流入弁の下流側に空気が入らなくなるので、ポンプ流路が満水でなくても送水を行うことが可能になる。
【０００９】
また本発明は、吸込水槽にポンプ流路を接続し、前記ポンプ流路内に横軸ポンプを設置することで吸込水槽内の水をポンプ流路に吸い込んで所定の場所に排水する排水用横軸ポンプ設備において、前記横軸ポンプの上流側のポンプ流路上部に開口してキャビテーション防止用の気体を導入する連通管を設置したことを特徴とする。これによって横軸ポンプに連通管から気泡が供給できるので、キャビテーションが発生しにくくなり、その弊害が防止される。
【００１０】
ここで前記連通管の他端は吸込水槽内に開口しており、且つこの開口はポンプにおいてキャビテーションの発生が始まる吸込水槽の水面位置、或いはポンプ流路内を流れる流体によって連通管内に空気が吸い込まれる最も高い位置の内の何れか低いほうの位置に設けられていることが好ましい。
【発明の効果】
【００１１】
（１）横軸ポンプの上流側のポンプ流路上部に流入弁を設置するか或いは凸部を設けたので、たとえポンプ流路が満水でなくても、送水を行うことができる。
【００１２】
（２）横軸ポンプの上流側のポンプ流路上部に開口してキャビテーション防止用の気体を導入する連通管を設置したので、水深が低下してもキャビテーションが発生しにくくなる。
【発明を実施するための最良の形態】
【００１３】
以下、本発明の実施形態を図面に基づいて詳細に説明する。
図１はポンプ流路２０が満水でなくても排水を行える排水用横軸ポンプ設備の一実施形態を示す概略側断面図である。同図に示すようにこの排水用横軸ポンプ設備は、吸込水槽１０にポンプ流路２０を接続し、ポンプ流路２０内に横軸ポンプＰを設置することで吸込水槽１０内の水をポンプ流路２０に吸い込んで吐出流路２５から所定の場所に排水するように構成されている。
【００１４】
そしてこの実施形態の場合は、横軸ポンプＰの上流側のポンプ流路２０上部（天井面）に流入弁３０を設置している。この流入弁３０はポンプ流路２０の全幅にわたって設置されており、図示しない駆動機構によって上下動自在に構成されている。この流入弁３０の上下動は手動によって行っても良いし、自動で行っても良いが、何れにしてもポンプ流路２０が満水でない場合には流入弁３０の下端辺が吸込水槽１０側の水面よりもわずかに下方に入り込む位置となるように上下動する。
【００１５】
即ちポンプ流路２０内が満水の場合は流入弁３０を全開となるまで上昇してポンプ流路２０内に位置しないようにして横軸ポンプＰを回転駆動して吸込水槽１０内の水を排水する。
【００１６】
一方ポンプ流路２０内が満水でない場合は図１に示すように流入弁３０を下降してその下端辺を吸込水槽１０側の水面よりもわずかに下げるように操作した上で、横軸ポンプＰを回転駆動する。羽根車Ｐ１の回転によってポンプ流路２０内の空気が水と共に吐出流路２５の方へ送られて行くが、このとき新たな空気が吸込水槽１０側から入り込まないので、やがて流入弁３０の下流側のポンプ流路２０内の空気が全て抜けて満水となり、ポンプ本来の送水能力が得られ、以後排水が効果的に行われる。吸込水槽１０内の水面が上下すればこれに合わせて流入弁３０も上下させる。流入弁３０の上下動は、吸込水槽１０内の水面をセンサで検知してこれに合わせて自動で行っても良いし、手動で行っても良い。
【００１７】
図２はポンプ流路２０が満水でなくても排水を行える排水用横軸ポンプ設備の他の実施形態を示す概略側断面図である。この実施形態において図１に示す実施形態と相違する点は、流入弁３０を設置する代わりに、横軸ポンプＰの上流側のポンプ流路２０上部（天井面）に、その全幅にわたって下側に突出する凸部３５を設けた点である。
【００１８】
凸部３５の場合はその上下動はできないが、少なくとも吸込水槽１０内の水面が凸部３５の下端辺よりも低くならない以上、上記流入弁３０と同様に、ポンプ流路２０内の水が満水とならない水位でも羽根車Ｐ１の回転によってポンプ流路２０内の空気が水と共に吐出流路２５の方へ送られて凸部３５の下流側のポンプ流路２０内の空気が全て抜けて満水となり、ポンプ本来の送水能力が得られ、以後排水が効果的に行われる。
【００１９】
なお前記凸部３５は図３に示すようにポンプ流路３０の入り口部分ではなく、内部に設けても良い。
【００２０】
図４は水深が低下してもキャビテーションが発生しにくい排水用横軸ポンプ設備の一実施形態を示す概略側断面図である。この実施形態においては、横軸ポンプＰの上流側に、ポンプ流路２０上部（天井面）と吸込水槽１０の側壁間を連通する連通管４０を設置している。
【００２１】
そして吸込水槽１０の側壁側の開口Ａは、横軸ポンプＰにおいてキャビテーションの発生が始まる際の吸込水槽１０の水面位置に設けられている。
【００２２】
吸込水槽１０内の水の水位Ｈｓがキャビテーションが生じない最低吸込水位ＮＰＳＨReq以上の場合は、横軸ポンプＰを運転してもキャビテーションは生じない。一方吸込水槽１０内の水の水位Ｈｓが低下して最低吸込水位ＮＰＳＨReq以下になった場合は、横軸ポンプＰの運転によってキャビテーションが発生しようとするが、このとき同時に連通管４０の開口Ａが大気中に露出するので、連通管４０を通して開口Ｂからポンプ流路２０内に空気が導入される。
【００２３】
圧縮性流体（膨張性流体）である空気泡を混入することにより、羽根車Ｐ１における真空のキャビティーの発生という現象が空気泡の膨張という現象に変わり、従って真空のキャビティーの潰れ現象が空気泡の圧縮という現象に移り、この結果、キャビティーの潰れによる衝撃波が減少し、エロージョン（壊食）、振動、音などが減少する。
【００２４】
吸込水槽１０内の水の水位Ｈｓが上昇して開口Ａを塞げば、空気の流入がなくなると同時にキャビテーションも発生せず、通常の排水動作に戻る。
【００２５】
以上のように開口Ａの位置をキャビテーションの発生が始まる際の吸込水槽１０の水面位置に設ければよいのであるが、この位置に開口Ａを設けると必ずしも連通管４０が空気を吸えない場合がある。そこでこの開口Ａは、横軸ポンプＰにおいてキャビテーションの発生が始まる吸込水槽１０の水面位置、或いはポンプ流路２０内を流れる流体によって連通管４０内に空気が吸い込まれる最も高い位置の内の何れか低いほうの位置に設けるようにする。
【００２６】
以下具体的に開口Ａの位置を決定する方法を説明する。即ち開口Ａ，Ｂにおける圧力ＰA，ＰBは、
ＰA：大気圧
ＰB：大気圧＋ρｇΔＨw−ρｖ2／２
但し、ρ：ポンプ流体密度、ｇ：重力加速度、ｖ：ポンプ流路２０内の流速、ΔＨw：ポンプ流路２０の天井面から水面までの高さ
である。
【００２７】
故に、ＰA＞ＰB、即ち上記式より、ΔＨw＜ｖ2／２ｇ  のとき、空気が連通管４０を通ってポンプ流路２０に吸い込まれる。なお横軸ポンプＰの中心からポンプ流路２０の天井面までの距離Ｈｒと、前記流速ｖは機場によって決まっている。
【００２８】
そして開口Ａからは、キャビテーションが発生する吸込水深Ｈｓ＝ＮＰＳＨReq以下の水位でのみ空気を流入させたいので、ポンプ流路２０の天井面から開口Ａまでの距離ΔＨは、ΔＨ＝ＮＰＳＨReq−Ｈｒとすれば良い。
【００２９】
しかしながらこのように吸込水深ＨｓをＮＰＳＨReqの位置に設定すると、前述のようにその位置が高い場合は連通管４０が空気を吸い込まない場合がある。即ち前述のようにポンプ流路２０内の流速ｖは決まっており、連通管４０が空気を吸い込む条件は、ΔＨｗ＜ｖ2／２ｇのときなので、ＮＰＳＨReq＜Ｈｒ＋ｖ2／２ｇの場合は、開口ＡをＨｓ＝ＮＰＳＨReqの位置、即ちΔＨ＝ＮＰＳＨReq−Ｈｒの位置に設定すれば連通管４０に空気が吸い込まれるが、ＮＰＳＨReq≧Ｈｒ＋ｖ2／２ｇの場合は、開口ＡをＨｓ＝ＮＰＳＨReqの位置、即ちΔＨ＝ＮＰＳＨReq−Ｈｒの位置に設定しても連通管４０は空気を吸い込まない。このためこの場合は、開口Ａを空気の吸い込みが始まるΔＨ＝ｖ2／２ｇ（この位置はＨｓ＝ＮＰＳＨReqの位置よりも低い位置である）の位置に設定する。
【００３０】
つまりＮＰＳＨReq＜Ｈｒ＋ｖ2／２ｇの場合は、開口ＡをＨｓ＝ＮＰＳＨReqの位置に設定することで、キャビテーションの発生と同時に空気を吸い込むようにする。
【００３１】
一方ＮＰＳＨReq≧Ｈｒ＋ｖ2／２ｇの場合は、キャビテーションが発生し始めた段階では開口Ａはまだ水面下にあり、さらに水面が下降して開口Ａが水面上に出たときに空気の吸い込みが始まり、すでに発生していたキャビテーションがさらに激しくなるのを防止する。
【００３２】
なお連通管４０は、図５に示すように横軸ポンプＰの上流側のポンプ流路２０の天井面に設けた凸部４５に設けるようにしても良い。このように構成した場合、連通管４０は水平に設置しても良い。
【００３３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状・構造であっても、本願発明の作用・効果を奏する以上、本願発明の技術的思想の範囲内である。
【図面の簡単な説明】
【００３４】
【図１】ポンプ流路２０が満水でなくても排水を行える排水用横軸ポンプ設備の一実施形態を示す概略側断面図である。
【図２】ポンプ流路２０が満水でなくても排水を行える排水用横軸ポンプ設備の他の実施形態を示す概略側断面図である。
【図３】図２の実施形態の変形例を示す概略側断面図である。
【図４】キャビテーションが発生しにくい排水用横軸ポンプ設備の一実施形態を示す概略側断面図である。
【図５】図４の実施形態の変形例を示す概略側断面図である。
【図６】従来の排水用横軸ポンプ設備の一例を示す概略側断面図である。
【図７】従来の排水用横軸ポンプ設備の問題点を説明する概略側断面図である。
【図８】従来の排水用横軸ポンプ設備の問題点を説明する概略側断面図である。
【符号の説明】
【００３５】
１０  吸込水槽
２０  ポンプ流路
Ｐ  横軸ポンプ
Ｐ１  羽根車
２５  吐出流路
３０  流入弁
３５  凸部
４０  連通管
Ａ，Ｂ  開口
【図１】
2006090129.tif 000003
【図２】
2006090129.tif 000004
【図３】
2006090129.tif 000005
【図４】
2006090129.tif 000006
【図５】
2006090129.tif 000007
【図６】
2006090129.tif 000008
【図７】
2006090129.tif 000009
【図８】
2006090129.tif 000010
【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
吸込水槽にポンプ流路を接続し、前記ポンプ流路内に横軸ポンプを設置することで吸込水槽内の水をポンプ流路に吸い込んで所定の場所に排水する排水用横軸ポンプ設備において、
前記横軸ポンプの上流側のポンプ流路上部に開口してキャビテーション防止用の気体を導入する連通管を設置したことを特徴とする排水用横軸ポンプ設備。
【請求項２】
前記連通管の他端は吸込水槽内に開口しており、且つこの開口はポンプにおいてキャビテーションの発生が始まる吸込水槽の水面位置、或いはポンプ流路内を流れる流体によって連通管内に空気が吸い込まれる最も高い位置の内の何れか低いほうの位置に設けられていることを特徴とする請求項１記載の排水用横軸ポンプ設備。
【請求項３】
前記連通管は、前記横軸ポンプの上流側のポンプ流路上部に設けた凸部に設けたことを特徴とする請求項１記載の排水用横軸ポンプ設備。
【手続補正２】
【補正対象書類名】明細書
【補正対象項目名】全文
【補正方法】変更
【補正の内容】
【発明の詳細な説明】
【技術分野】
【０００１】
本発明は排水用横軸ポンプ設備に関するものである。
【背景技術】
【０００２】
従来、排水用横軸ポンプ設備の中には図３に示すように、吸込水槽１０の側壁にポンプ流路２０を接続するとともに、ポンプ流路２０内に横軸ポンプＰを設置し、ポンプＰを回転駆動することで吸込水槽１０内の水をポンプ流路２０に吸い込んで所定の場所に排水するように構成されているものがあった。
【０００３】
しかしながら上記従来の排水用横軸ポンプ設備には以下のような問題点があった。
（１）図４に示すようにポンプ流路２０内が満水の場合でも吸込水深Ｈｓが排水によって低下して所定水深Ｈｓ＜ＮＰＳＨReq（ＮＰＳＨReqはキャビテーションが生じない最小吸込水位）になると、横軸ポンプＰの羽根車Ｐ１の上部ａにおいてキャビテーションが発生し、キャビテーションエロージョン（真空のキャビティーが発生拡大した後に瞬間的に猛スピードで潰れることによって生じる局部的な衝撃波により壊食が発生する現象）が生じてしまう。また横軸ポンプＰの振動、音も大きくなってしまう。
【０００４】
（２）図５に示すようにポンプ流路２０内が満水となる水位でない場合は、横軸ポンプＰを起動してもポンプ流路２０内から空気が抜けず、排水機能が生じない。
【発明の開示】
【発明が解決しようとする課題】
【０００５】
本発明は上述の点に鑑みてなされたものでありその目的は、水深が低下してもキャビテーションが発生しにくい排水用横軸ポンプ設備を提供することにある。
【０００６】
また本発明の他の目的は、たとえポンプ流路が満水となる水位でなくても、排水を行うことができる排水用横軸ポンプ設備を提供することにある。
【課題を解決するための手段】
【０００７】
上記問題点を解決するため本発明は、吸込水槽にポンプ流路を接続し、前記ポンプ流路内に横軸ポンプを設置することで吸込水槽内の水をポンプ流路に吸い込んで所定の場所に排水する排水用横軸ポンプ設備において、前記横軸ポンプの上流側のポンプ流路上部に開口してキャビテーション防止用の気体を導入する連通管を設置したことを特徴とする。これによって横軸ポンプに連通管から気泡が供給できるので、キャビテーションが発生しにくくなり、その弊害が防止される。
【０００８】
ここで前記連通管の他端は吸込水槽内に開口しており、且つこの開口はポンプにおいてキャビテーションの発生が始まる吸込水槽の水面位置、或いはポンプ流路内を流れる流体によって連通管内に空気が吸い込まれる最も高い位置の内の何れか低いほうの位置に設けられていることが好ましい。
【０００９】
また本発明は、前記連通管は、前記横軸ポンプの上流側のポンプ流路上部に設けた凸部に設けたことを特徴とする。これによって凸部の下流側に空気が入らなくなるので、ポンプ流路が満水でなくても送水を行うことが可能になる。
【発明の効果】
【００１０】
（１）横軸ポンプの上流側のポンプ流路上部に開口してキャビテーション防止用の気体を導入する連通管を設置したので、水深が低下してもキャビテーションが発生しにくくなる。
【００１１】
（２）横軸ポンプの上流側のポンプ流路上部に凸部を設けたので、たとえポンプ流路が満水でなくても、送水を行うことができる。
【発明を実施するための最良の形態】
【００１２】
以下、本発明の実施形態を図面に基づいて詳細に説明する。
図１は水深が低下してもキャビテーションが発生しにくい排水用横軸ポンプ設備の一実施形態を示す概略側断面図である。同図に示すようにこの排水用横軸ポンプ設備は、吸込水槽１０にポンプ流路２０を接続し、ポンプ流路２０内に横軸ポンプＰを設置することで吸込水槽１０内の水をポンプ流路２０に吸い込んで吐出流路２５から所定の場所に排水するように構成されている。そしてこの実施形態においては、横軸ポンプＰの上流側に、ポンプ流路２０上部（天井面）と吸込水槽１０の側壁間を連通する連通管４０を設置している。
【００１３】
そして吸込水槽１０の側壁側の開口Ａは、横軸ポンプＰにおいてキャビテーションの発生が始まる際の吸込水槽１０の水面位置に設けられている。
【００１４】
吸込水槽１０内の水の水位Ｈｓがキャビテーションが生じない最低吸込水位ＮＰＳＨReq以上の場合は、横軸ポンプＰを運転してもキャビテーションは生じない。一方吸込水槽１０内の水の水位Ｈｓが低下して最低吸込水位ＮＰＳＨReq以下になった場合は、横軸ポンプＰの運転によってキャビテーションが発生しようとするが、このとき同時に連通管４０の開口Ａが大気中に露出するので、連通管４０を通して開口Ｂからポンプ流路２０内に空気が導入される。
【００１５】
圧縮性流体（膨張性流体）である空気泡を混入することにより、羽根車Ｐ１における真空のキャビティーの発生という現象が空気泡の膨張という現象に変わり、従って真空のキャビティーの潰れ現象が空気泡の圧縮という現象に移り、この結果、キャビティーの潰れによる衝撃波が減少し、エロージョン（壊食）、振動、音などが減少する。
【００１６】
吸込水槽１０内の水の水位Ｈｓが上昇して開口Ａを塞げば、空気の流入がなくなると同時にキャビテーションも発生せず、通常の排水動作に戻る。
【００１７】
以上のように開口Ａの位置をキャビテーションの発生が始まる際の吸込水槽１０の水面位置に設ければよいのであるが、この位置に開口Ａを設けると必ずしも連通管４０が空気を吸えない場合がある。そこでこの開口Ａは、横軸ポンプＰにおいてキャビテーションの発生が始まる吸込水槽１０の水面位置、或いはポンプ流路２０内を流れる流体によって連通管４０内に空気が吸い込まれる最も高い位置の内の何れか低いほうの位置に設けるようにする。
【００１８】
以下具体的に開口Ａの位置を決定する方法を説明する。即ち開口Ａ，Ｂにおける圧力ＰA，ＰBは、
ＰA：大気圧
ＰB：大気圧＋ρｇΔＨw−ρｖ2／２
但し、ρ：ポンプ流体密度、ｇ：重力加速度、ｖ：ポンプ流路２０内の流速、ΔＨw：ポンプ流路２０の天井面から水面までの高さ
である。
【００１９】
故に、ＰA＞ＰB、即ち上記式より、ΔＨw＜ｖ2／２ｇ  のとき、空気が連通管４０を通ってポンプ流路２０に吸い込まれる。なお横軸ポンプＰの中心からポンプ流路２０の天井面までの距離Ｈｒと、前記流速ｖは機場によって決まっている。
【００２０】
そして開口Ａからは、キャビテーションが発生する吸込水深Ｈｓ＝ＮＰＳＨReq以下の水位でのみ空気を流入させたいので、ポンプ流路２０の天井面から開口Ａまでの距離ΔＨは、ΔＨ＝ＮＰＳＨReq−Ｈｒとすれば良い。
【００２１】
しかしながらこのように吸込水深ＨｓをＮＰＳＨReqの位置に設定すると、前述のようにその位置が高い場合は連通管４０が空気を吸い込まない場合がある。即ち前述のようにポンプ流路２０内の流速ｖは決まっており、連通管４０が空気を吸い込む条件は、ΔＨｗ＜ｖ2／２ｇのときなので、ＮＰＳＨReq＜Ｈｒ＋ｖ2／２ｇの場合は、開口ＡをＨｓ＝ＮＰＳＨReqの位置、即ちΔＨ＝ＮＰＳＨReq−Ｈｒの位置に設定すれば連通管４０に空気が吸い込まれるが、ＮＰＳＨReq≧Ｈｒ＋ｖ2／２ｇの場合は、開口ＡをＨｓ＝ＮＰＳＨReqの位置、即ちΔＨ＝ＮＰＳＨReq−Ｈｒの位置に設定しても連通管４０は空気を吸い込まない。このためこの場合は、開口Ａを空気の吸い込みが始まるΔＨ＝ｖ2／２ｇ（この位置はＨｓ＝ＮＰＳＨReqの位置よりも低い位置である）の位置に設定する。
【００２２】
つまりＮＰＳＨReq＜Ｈｒ＋ｖ2／２ｇの場合は、開口ＡをＨｓ＝ＮＰＳＨReqの位置に設定することで、キャビテーションの発生と同時に空気を吸い込むようにする。
【００２３】
一方ＮＰＳＨReq≧Ｈｒ＋ｖ2／２ｇの場合は、キャビテーションが発生し始めた段階では開口Ａはまだ水面下にあり、さらに水面が下降して開口Ａが水面上に出たときに空気の吸い込みが始まり、すでに発生していたキャビテーションがさらに激しくなるのを防止する。
【００２４】
なお連通管４０は、図２に示すように横軸ポンプＰの上流側のポンプ流路２０上部（天井面）にその全幅にわたって下側に突出する凸部４５に設けるようにしても良い。このように構成した場合、連通管４０は水平に設置しても良い。
【００２５】
凸部４５を設けた場合は、少なくとも吸込水槽１０内の水面が凸部４５の下端辺よりも低くならない以上、ポンプ流路２０内の水が満水とならない水位でも羽根車Ｐ１の回転によってポンプ流路２０内の空気が水と共に吐出流路２５の方へ送られて凸部４５の下流側のポンプ流路２０内の空気が全て抜けて満水となり、ポンプ本来の送水能力が得られ、以後排水が効果的に行われる。なお前記凸部４５はポンプ流路３０の入り口部分ではなく、内部に設けても良い。
【００２６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状・構造であっても、本願発明の作用・効果を奏する以上、本願発明の技術的思想の範囲内である。
【図面の簡単な説明】
【００２７】
【図１】キャビテーションが発生しにくい排水用横軸ポンプ設備の一実施形態を示す概略側断面図である。
【図２】図１の実施形態の変形例を示す概略側断面図である。
【図３】従来の排水用横軸ポンプ設備の一例を示す概略側断面図である。
【図４】従来の排水用横軸ポンプ設備の問題点を説明する概略側断面図である。
【図５】従来の排水用横軸ポンプ設備の問題点を説明する概略側断面図である。
【符号の説明】
【００２８】
１０  吸込水槽
２０  ポンプ流路
Ｐ  横軸ポンプ
Ｐ１  羽根車
２５  吐出流路
４０  連通管
Ａ，Ｂ  開口
４５  凸部
【手続補正３】
【補正対象書類名】図面
【補正対象項目名】全図
【補正方法】変更
【補正の内容】
【図１】
2006090129.tif 000011
【図２】
2006090129.tif 000012
【図３】
2006090129.tif 000013
【図４】
2006090129.tif 000014
【図５】
2006090129.tif 000015